(57)【要約】【課題】ハードキーのキー入力項目を表示することである。【解決手段】通信端末装置としての携帯電話１０において、ハードキーの入力キー１５１を操作入力し、その押下した入力キー１５１が半押し状態である場合に、当該押下された入力キー１５１に対応するキー入力項目が記憶部から取得され、当該キー入力項目としての文字情報又は機能情報を表示部としての液晶表示部１４に表示する。【選択図】図１
2005130180.tif 000002
【特許請求の範囲】
【請求項１】
外部機器と通信を行う通信部と、各種情報を表示する表示部と、を備える通信端末装置において、
複数のハードキーを有し、当該ハードキーにより操作入力を受け付けて入力状態に応じた入力状態信号を出力する操作部と、
前記ハードキーにより入力する文字情報又は機能情報を記憶する記憶部と、
前記操作部を介して操作入力された前記ハードキーの入力状態信号を取得し、当該入力状態信号が半入力状態を示すか否かを判別し、前記入力状態信号が半入力状態を示す場合に、入力されたハードキーに対応する文字情報又は機能情報を前記記憶部から読み出し、当該読み出した文字情報又は機能情報を前記表示部に表示させる制御部と、を備えることを特徴とする通信端末装置。
【請求項２】
前記制御部は、前記操作部を介して操作入力された少なくとも２つの前記ハードキーの入力状態信号を取得し、当該入力状態信号が半入力状態を示すか否かを判別し、前記入力状態信号が半入力状態を示す場合に、入力されたハードキーに対応する文字情報又は機能情報を前記記憶部から読み出し、前記入力状態信号からユーザの入力位置情報を算出し、当該入力位置情報に基づいて、前記読み出した文字情報又は機能情報を前記表示部にスクロール表示させることを特徴とする請求項１に記載の通信端末装置。
【請求項３】
前記記憶部は、前記ハードキーにより入力するポインタの移動方向情報を記憶し、
前記制御部は、前記操作部を介して操作入力された少なくとも２つの前記ハードキーの入力状態信号を取得し、当該入力状態信号が半入力状態を示すか否かを判別し、前記入力状態信号が半入力状態を示す場合に、入力されたハードキーに対応する移動方向情報を前記記憶部から読み出し、前記入力状態信号からユーザの入力位置情報を算出し、当該入力位置情報及び前記読み出した移動方向情報に基づいて前記表示部に前記ポインタを表示させることを特徴とする請求項１又は２に記載の通信端末装置。
【請求項４】
外部機器と通信を行う通信部と、各種情報を表示する表示部と、複数のハードキーを有し、当該ハードキーにより操作入力を受け付けて入力状態に応じた入力状態信号を出力する操作部と、を備える機器に搭載されたコンピュータに、
前記ハードキーにより入力する文字情報又は機能情報をメモリに記憶する機能と、
前記操作部を介して操作入力された前記ハードキーの入力状態信号を取得し、当該入力状態信号が半入力状態を示すか否かを判別し、前記入力状態信号が半入力状態を示す場合に、入力されたハードキーに対応する文字情報又は機能情報を前記メモリから読み出し、当該読み出した文字情報又は機能情報を前記表示部に表示させる機能を、
実現させるためのキー入力表示プログラム。
【発明の詳細な説明】
【技術分野】
【０００１】
本発明は、通信端末装置及びキー入力表示プログラムに関する。
【背景技術】
【０００２】
従来、携帯電話の入力キーは、携帯化のため大きさが小型である。このため、入力キーのキートップにプリントされている文字も小さく見づらいという問題があった。
【０００３】
入力する文字などのキー入力項目の表示を見やすくする構成として、画面上にキー配列を表示するソフトキーボードに対して、タッチパネルで指示されたキーを含む所定範囲を拡大表示して操作性をよくした入力装置が考えられている（例えば、特許文献１参照）。
【０００４】
また、ソフトキーボードで曖昧な入力があった場合に、押された入力キー周辺を拡大して表示し、再入力させる携帯装置が考えれている（例えば、特許文献２参照）。
【特許文献１】特開２００２−９１６７７号公報
【特許文献２】特開２００１−１７５３７５号公報
【発明の開示】
【発明が解決しようとする課題】
【０００５】
しかし、上記先行技術は、ソフトキーを対象としており、携帯電話のハードキーに適用することができなかった。ハードキー自体の拡大は不可能であるためである。このため、ハードキー入力では、ユーザがキートップにプリントしてある文字を目視により確認して入力するが、キートップの文字が小さくて見づらく、操作性が低下するおそれがあった。
【０００６】
本発明の課題は、ハードキーのキー入力項目を表示することである。
【課題を解決するための手段】
【０００７】
以上の課題を解決するために、本発明は、外部機器と通信を行う通信部と、各種情報を表示する表示部と、を備える通信端末装置において、
複数のハードキーを有し、当該ハードキーにより操作入力を受け付けて入力状態に応じた入力状態信号を出力する操作部と、
前記ハードキーにより入力する文字情報又は機能情報を記憶する記憶部と、
前記操作部を介して操作入力された前記ハードキーの入力状態信号を取得し、当該入力状態信号が半入力状態を示すか否かを判別し、前記入力状態信号が半入力状態を示す場合に、入力されたハードキーに対応する文字情報又は機能情報を前記記憶部から読み出し、当該読み出した文字情報又は機能情報を前記表示部に表示させる制御部と、を備えることを特徴とする。
【０００８】
また、本発明は、外部機器と通信を行う通信部と、各種情報を表示する表示部と、複数のハードキーを有し、当該ハードキーにより操作入力を受け付けて入力状態に応じた入力状態信号を出力する操作部と、を備える機器に搭載されたコンピュータに、
前記ハードキーにより入力する文字情報又は機能情報をメモリに記憶する機能と、
前記操作部を介して操作入力された前記ハードキーの入力状態信号を取得し、当該入力状態信号が半入力状態を示すか否かを判別し、前記入力状態信号が半入力状態を示す場合に、入力されたハードキーに対応する文字情報又は機能情報を前記メモリから読み出し、当該読み出した文字情報又は機能情報を前記表示部に表示させる機能を、
実現させるためのキー入力表示プログラムである。
【０００９】
本発明によれば、ハードキーの入力状態が半入力状態の場合に、その入力されたハードキーに対応する文字情報又は機能情報を表示するので、ハードキーのキー入力項目としての文字情報又は機能情報を表示し、キートップの文字が見づらい場合にもユーザが現在押下中のキーを目視により確認して容易にキー入力を行うことができ、キー入力の操作性を向上することができる。
【００１０】
また、例えば、前記制御部は、前記操作部を介して操作入力された少なくとも２つの前記ハードキーの入力状態信号を取得し、当該入力状態信号が半入力状態を示すか否かを判別し、前記入力状態信号が半入力状態を示す場合に、入力されたハードキーに対応する文字情報又は機能情報を前記記憶部から読み出し、前記入力状態信号からユーザの入力位置情報を算出し、当該入力位置情報に基づいて、前記読み出した文字情報又は機能情報を前記表示部にスクロール表示させることとして構成してもよい。
【００１１】
また、例えば、前記記憶部は、前記ハードキーにより入力するポインタの移動方向情報を記憶し、
前記制御部は、前記操作部を介して操作入力された少なくとも２つの前記ハードキーの入力状態信号を取得し、当該入力状態信号が半入力状態を示すか否かを判別し、前記入力状態信号が半入力状態を示す場合に、入力されたハードキーに対応する移動方向情報を前記記憶部から読み出し、前記入力状態信号からユーザの入力位置情報を算出し、当該入力位置情報及び前記読み出した移動方向情報に基づいて前記表示部に前記ポインタを表示させることとして構成してもよい。
【発明の効果】
【００１２】
本発明によれば、ハードキーの入力状態が半入力状態の場合に、その入力されたハードキーに対応する文字情報又は機能情報を表示するので、ハードキーのキー入力項目としての文字情報又は機能情報を表示し、キートップの文字が見づらい場合にもユーザが現在押下中のキーを目視により確認して容易にキー入力を行うことができ、キー入力の操作性を向上することができる。
【発明を実施するための最良の形態】
【００１３】
以下、添付図面を参照して本発明に係る好適な第１及び第２の実施の形態を順に詳細に説明する。
【００１４】
（第１の実施の形態）
図１〜図５を参照して、本発明に係る第１の実施の形態を説明する。まず、図１〜図３を参照して本実施の形態の装置構成を説明する。図１に、携帯電話１０の外観を示す。図２に、携帯電話１０の内部構成を示す。図３に、圧力関知素子を有する入力キー１５１の押下を示し、（ａ）に入力キー１５１の押下の様子を示し、（ｂ）に押下による力と素子電圧との関係を示す。
【００１５】
図１に示すように、本実施の形態の携帯電話１０には、操作者の押下により各種文字及び各種機能（コマンド）を入力する入力キー（ハードキー）１５１を備えて構成される。
本実施の形態では、通信端末装置として携帯電話１０を用いる構成とするが、これに限るものではない。例えば、ＰＨＳ（Personal Handyphone System）、ＰＤＡ（Personal Digital Assistants）などの他の通信端末装置でもよい。
【００１６】
次いで、携帯電話１０の内部構成を説明する。図２に示すように、携帯電話１０は、ＣＰＵ１１と、記憶部としてのＲＯＭ１２と、ＲＡＭ１３と、表示部としての液晶表示部１４と、操作部としてのキー入力部１５と、通信部としてのアンテナ１６及び無線部１７と、スピーカ１８と、マイク１９と、音声変換回路２０と、バイブレータ２１と、鳴音部２２と、フラッシュＲＯＭ２３と、を備えて構成される。
【００１７】
ＣＰＵ１１は、携帯電話１０内の各部を中央制御する。ＣＰＵ１１は、ＲＯＭ１２に格納されているシステムプログラム及び各種アプリケーションプログラムの中から指定されたプログラムをＲＡＭ１３に展開し、ＲＡＭ１３に展開されたプログラムとの協働で、各種処理を実行する。
【００１８】
ＲＯＭ１２は、各種データ及び各種プログラムを読み出し可能に記憶し、特に、後述するキー入力項目テーブル１２１が記憶される。ＲＡＭ１３は、前記指定されたプログラム、入力指示、入力データ及び処理結果などを格納するワークエリアを有し、情報を一時的に格納する。
【００１９】
液晶表示部１４は、ＣＰＵ１１から入力される各種情報を表示し、例えば、待ち受け画面、ランチャ画面などを表示する。また、液晶表示部１４に代えて、ＥＬディスプレイ（ElectroLuminescent Display）などの表示部としてもよい。
【００２０】
キー入力部１５は、ダイヤルキー（文字入力キー）、メニューキー及び各種機能キーなどの入力キー（ハードキー）１５１を備えて構成され、操作者（ユーザ）により押下されたキーに対応する押下信号をＣＰＵ１１に出力する。入力キー１５１は、圧力関知素子を有する入力キーであり、ユーザの指などによる押下の圧力値に応じた出力信号（電圧信号）を出力可能である。
【００２１】
図３（ａ）に示すように、キー入力部１５１の所定のキーを押下した場合に、当該押下による力と、当該所定のキーに対応してキー入力部１５１から出力される素子電圧（電圧信号）とは、図３（ｂ）のグラフに示すような一次関数の関係となる。
【００２２】
図３（ｂ）のグラフには、素子電圧の値に応じて、入力キー１５１の押下状態として、押下していないとみなす無反応領域と、仮の押下としての半押し状態の押下とみなす半押し領域と、キー入力確定のための押下としての本押し状態の押下とみなす本押し領域と、を有する。
【００２３】
図２に戻り、無線部１７は、搬送波を音声変換回路２０から入力される通信データで変調処理し、アンテナ１６を介して無線通信信号を図示しない基地局などに発信する。また、無線部１７は、アンテナ１６を介して基地局などから受信した無線通信信号を、復調処理して通信データを取得し、その通信データを音声変換回路２０に出力する。また、無線部１７は、搬送波をＣＰＵ１１から入力される通信データで変調処理し、アンテナ１６を介して無線通信信号を基地局などに発信する。また、無線部１７は、アンテナ１６を介して基地局などから受信した無線通信信号を、復調処理して通信データを取得し、その通信データをＣＰＵ１１に出力する。つまり、無線部１７は、基地局及びアンテナ１６を介して、外部の通信データの送信先又は送信元の機器と通信接続される。
【００２４】
音声変換回路２０は、マイク１９から入力された音声信号をコード化処理して通信データに変換して無線部１７に出力する。また、音声変換回路２０は、無線部１７から入力された通信データをデコード処理して音声信号に変換してスピーカ１８に出力する。つまり、通話時に、マイク１９から入力された音声信号は、音声変換回路２０、無線部１７を順に介して無線通信信号としてアンテナ１６から発信され、当該無線通信信号が基地局を介して通話先の携帯電話などに送信される。また、通話時に、通話先の携帯電話などから基地局を介して送信された無線通信信号がアンテナ１８により受信され、無線部１７、音声変換回路２０を介して音声信号としてスピーカ１８から出力される。
【００２５】
バイブレータ２１は、携帯電話１０の着信時などにＣＰＵ１１からの振動指示入力により振動し、操作者に振動によって着信などを報知する。鳴音部２２は、携帯電話１０の着信時などにＣＰＵ１１からの鳴音指示により鳴音し、当該鳴音により操作者に着信などを報知する。フラッシュＲＯＭ２３は、電気的にデータの書き換えが可能な不揮発性のメモリである。
【００２６】
次に、図４を参照して、ＲＯＭ１２に記憶するデータを説明する。図４に、キー入力項目テーブル１２１の構成を示す。
【００２７】
図４に示すように、ＲＯＭ１２には、デフォルトのデータとして、携帯電話１０の各種入力モード時に対応して記憶されるキー入力項目テーブル１２１が記憶される。携帯電話１０の各種入力モードとして、電話番号入力待ちモード、漢字入力モード及び英字入力モードなどがある。電話番号入力待ちモードは、いわゆる待ち受け画面におけるキー入力モードである。漢字入力モードは、漢字及びかなを入力するためのモードである。英字入力モードは、アルファベット及びその他の記号を入力するためのモードである。
【００２８】
キー入力項目テーブル１２１には、キー１２１１、電話番号入力待ちモード１２１２、漢字入力モード１２１３、英字入力モード１２１４などの項目を有する。キー１２１１は、入力キー１５１の各キーを示す。電話番号入力待ちモード１２１２は、電話番号入力待ちモードにおいて、キー１２１１のキー押下により入力されるキー入力項目を示す。
【００２９】
漢字入力モード１２１３は、漢字入力モードにおいて、キー１２１１のキー押下により入力されるキー入力項目を示す。なお、漢字入力モード１２１３の[]内の文字は、対応する入力キーの２回以上の押下により入力されるキー入力項目、いわゆる「めくり」キー入力項目を示し、英字入力モード１２１４などにおいても同様である。英字入力モード１２１４は、英字入力モードにおいて、キー１２１１のキー押下により入力されるキー入力項目を示す。
【００３０】
キー入力項目は、入力される文字及び機能が含まれる。機能とは、例えば、通話、（通話を）切る、クリアなどである。
【００３１】
次に、図５を参照して、携帯電話１０の動作を説明する。図５に、キー処理を示す。携帯電話１０において実行されるキー処理は、入力キー１５１からのキー入力を受け付ける処理である。キー処理は、前回のキー処理終了時から所定の周期で実行される処理である。携帯電話１０において、キー入力部１５の入力キー１５１を介する入力などにより待ち受け画面などの起動後、又は前回のキー処理終了時から所定時間が経過したことをトリガとして、ＣＰＵ１１は、ＲＯＭ１２に記憶されたキー処理プログラムを適宜読み出してＲＡＭ１３に展開し、ＣＰＵ１１とＲＡＭ１３内のキー処理プログラムとの協働によりキー処理が実行される。
【００３２】
図５に示すように、先ず、操作者によるキー入力部１５の入力キー１５１が押下されたか否かが判別される（ステップＳ１１）。例えば、キー入力部１５から入力キー１５１の押下信号が出力されたか否かが判別される。入力キー１５１が押下されていない場合（ステップＳ１１；ＮＯ）、ステップＳ１１に移行される。
【００３３】
入力キー１５１が押下された場合（ステップＳ１１；ＹＥＳ）、ステップＳ１１において出力された入力キー１５１の押下信号が参照され、押下された入力キー１５１のキー入力状態が本押し状態であるか否かが判別される（ステップＳ１２）。例えば、押下信号の電圧が図３（ｂ）に示す本押し領域内であるか否かにより判別される。
【００３４】
キー入力状態が本押し状態でない場合（ステップＳ１２；ＮＯ）、ステップＳ１１において出力された入力キー１５１の押下信号が参照され、押下された入力キー１５１のキー入力状態が半押し状態であるか否かが判別される（ステップＳ１３）。例えば、押下信号の電圧が図３（ｂ）に示す半押し領域内であるか否かにより判別される。
【００３５】
キー入力状態が半押し状態である場合（ステップＳ１３；ＹＥＳ）、ＲＯＭ１２内のキー入力項目テーブル１２１が読み出され、またＲＡＭ１３内の押下回数が読み出され、当該押下回数及びキー入力項目テーブル１２１に基づいてキー入力項目が取得される（ステップＳ１４）。キー入力項目とは、キー入力がどの文字又は機能かを示す。図３のキー入力項目テーブル１２１に示すように、１つの入力キーでも各種モードにおいて、複数の文字又は機能が割り当てられている場合があるため、１つの入力キーの複数の文字又は機能が、ＲＡＭ１３に記憶されている押下回数に基づいて特定される。
【００３６】
そして、ステップＳ１４において取得されたキー入力項目が有効であるか否かが判別される（ステップＳ１５）。キー入力項目が有効でない場合（ステップＳ１５；ＮＯ）、ステップＳ１１に移行される。キー入力項目が有効である場合（ステップＳ１５；ＹＥＳ）、ステップＳ１４において取得されたキー入力項目としての文字又は機能が液晶表示部１４に表示され（ステップＳ１６）、ステップＳ１２に移行される。
【００３７】
キー入力状態が半押し状態でない場合（ステップＳ１３；ＮＯ）、ステップＳ１１において出力された入力キー１５１の押下信号が参照され、押下された入力キー１５１のキー入力状態がキー離れ状態であるか否かが判別される（ステップＳ１７）。例えば、押下信号の電圧が０であるか否かにより判別される。
【００３８】
キー入力状態がキー離れ状態でない場合（ステップＳ１７；ＮＯ）、ステップＳ１２に移行される。キー入力状態がキー離れ状態である場合（ステップＳ１７；ＹＥＳ）、液晶表示部１４に表示されているキー入力項目が消去され（ステップＳ１８）、ステップＳ１１に移行される。
【００３９】
キー入力状態が本押し状態である場合（ステップＳ１２；ＹＥＳ）、ＲＯＭ１２内のキー入力項目テーブル１２１が読み出され、またＲＡＭ１３内の押下回数が読み出され、当該押下回数及びキー入力項目テーブル１２１に基づいてキー入力項目が取得され、キー入力された文字又は機能がキー入力項目に確定される（ステップＳ１９）。例えば、「お」が入力される場合に、１つの入力キーに割り当てられた「あ」、「い」、「う」、「え」、「お」と各文字において確定がなされ、同位置に表示される。このため、最終的に確定された文字が本確定となる。
【００４０】
そして、今回入力確定されたキー入力項目に対応するキーが、前回のキー入力項目に対応するキーと異なるか否かが判別される（ステップＳ２０）。キーが異なる場合（ステップＳ２０；ＹＥＳ）、ＲＡＭ１３に押下回数＝１が記憶される（ステップＳ２１）。既に、ＲＡＭ１３に押下回数が記憶されている場合、ＲＡＭ１３内の押下回数が１に変更される。また、前回のキー入力項目がない場合にもステップＳ２１に変更される、
【００４１】
キーが同じである場合（ステップＳ２０；ＮＯ）、ＲＡＭ１３に記憶されている押下回数が＋１されて記憶される（ステップＳ２２）。そして、液晶表示部１４に表示されているキー入力項目が消去され（ステップＳ２３）、キー処理が終了される。
【００４２】
以上、本実施の形態によれば、ハードキーである入力キー１５１のキー入力状態が半入力状態の場合に、その入力されたキーに対応する文字又は機能を液晶表示部１４に表示するので、入力キー１５１のキー入力項目としての文字又は機能を表示し、キートップの文字が見づらい場合にもユーザが現在押下中のキーを目視により確認して容易にキー入力を行うことができ、キー入力の操作性を向上することができる。キートップの文字が見づらい場合とは、入力キー１５１そのものが小さくてキートップ文字も小さい場合のみではなく、例えば、ユーザの指によりキートップ文字が隠れてしまう場合や、暗い場所などにおいて携帯電話１０を使用する場合なども含む。
【００４３】
（第２の実施の形態）
次に、図６〜図９を参照して本発明に係る第２の実施の形態を説明する。図６に、４キー１５２の押下を示し、（ａ）に４キー１５２の押下の様子を示し、（ｂ）に押下による力と素子電圧との関係を示す。図７に、５キー１５３の押下を示し、（ａ）に５キー１５３の押下の様子を示し、（ｂ）に押下による力と素子電圧との関係を示す。図８に、４キー１５２及び５キー１５３の押下の様子を示す。図９に、４キー１５２から５キー１５３のスライド押下時の表示を示し、（ａ）に４キー１５２のみの押下時の表示を示し、（ｂ）に４キー１５２から５キー１５３へのスライド押下中の表示を示し、（ｃ）に５キー１５３のみの押下時の表示を示す。
【００４４】
本実施の形態の装置構成は、第１の実施の形態と同様の構成である。本実施の形態の携帯電話１０の動作を説明する。第１の実施の形態は、半押し状態のキーの入力文字又は機能を表示する構成であった。これに対し、本実施の形態では、入力キー１５１のあるキー（以下、第１キーとする）から当該キーに隣接するキー（以下、第２キーとする）へ入力を移動する場合に、２つのキーの入力の移り変わりを示すスクロール表示をさせる構成である。
【００４５】
ユーザは、第１キーから第２キーへ指を移動させる場合に、半押し状態で指をスライドさせつつ移動させる。特に、暗闇などで、ユーザがキートップの文字を読めない場合に有効である。
【００４６】
ここで、具体例を挙げる。第１キーが「４」を入力するための４キー１５２であり、第２キーが「５」を入力するための５キー１５３であるとする。図６（ａ）に示すように４キー１５２が押下されて、図６（ｂ）のグラフに示すように、４キー１５２に対応する押下信号の電圧として電圧Ａが取得されるものとする。また、４キー１５２の入力と同時に、図７（ａ）に示すように５キー１５３が押下されて、図７（ｂ）のグラフに示すように、５キー１５３に対応する押下信号の電圧として電圧Ｂが取得されるものとする。
【００４７】
また、図８に示すように、４キー１５２と５キー１５３との間の距離をＸ［ｍｍ］とする。このとき、ユーザの指３０が、４キー１５２と５キー１５３との間のどの位置にあるかが、４キー１５２及び５キー１５３の出力電圧Ａ，Ｂに応じて算出される。
【００４８】
図８に示すように、４キー１５２の位置を基準に取った場合、指３０の位置は、
Ｘ＊Ｂ／（Ａ＋Ｂ）  …（１）
の式により表される。このため、液晶表示部１４には、「４」の表示の横サイズと、「５」の表示の横サイズとの割合がＢ：Ａになるようにスクロール表示させればよい。ちなみに、「４」の表示面積と、「５」の表示面積との割合は、Ｂ2：Ａ2になるようにすればよい。
【００４９】
図９（ａ）に示すように、４キー１５２がユーザの指３０により半押し状態にある場合に、指３０が４キー１５２から左隣の５キー１５３にスライドされる。すると、図９（ｂ）に示すように、液晶表示部１４には、「４」の文字が画面左外に消えていき、「５」の文字が画面右外から現れるようにスクロールされるように、画面１４２が表示される。そして、図９（ｃ）に示すように、指３０が５キー１５３に完全にスライドされると、「５」の文字のみの画面１４３が液晶表示部１４に表示される。
【００５０】
上記具体例では、横方向のスライドの場合であるが、縦方向、斜め方向などについても、半押しキーのスライドによりスライド方向に応じて、入力文字又は機能を液晶表示部１４にスクロール表示させる構成とすることができる。
【００５１】
以上、本実施の形態によれば、ユーザが指をスライドさせることにより、入力キー１５１のうちの少なくとも２つが半押し状態で入力された場合に、その入力されたキーの押下信号からユーザの指の位置が算出され、その算出値に基づいて、キー入力項目としての入力文字又は機能を液晶表示部１４にスクロール表示させるので、ユーザが指のスライド先のキーのキー入力項目を目視により容易に確認でき、キー入力の操作性を向上することができる。
【００５２】
なお、第２の実施の形態における、２つのキーのスライド押下時の出力電圧に基づいてユーザの指の位置を計算する構成を用いて、入力キー１５のダイヤルキーを、液晶表示部１４に表示された画面上のポインタなどのアナログ位置入力に用いることができる。具体的には、５キーを中心として、１キーを左上方向とし、２キーを上方向とし、３キーを左方向とし、６キーを右方向とし、７キーを左下方向とし、８キーを下方向とし、９キーを右下方向とする。
【００５３】
そして、５キーと他のキーとの半押し状態によるユーザの指の位置計算に基づいて、ポインタなどの各方向への移動速度が決定される。また、斜め方向は、５キーと２キー及び６キーとに右上方向を割り当て、５キーと２キー及び６キーとに右上方向を割り当て、５キーと６キー及び８キーとに右下方向を割り当て、５キーと８キー及び４キーとに左下方向を割り当て、５キーと４キー及び２キーとに左上方向を割り当てる構成としてもよい。
【００５４】
このように、テンキーの押下信号に基づいて、ユーザの指の位置を算出し、当該算出値に基づいてポインタを移動するので、テンキーによりポインタをアナログ位置入力でき、ポインタ移動の操作性を向上することができる。特に、携帯電話１０の入力キー１５１のテンキーを小さくすれば、ポインタの厳密な移動入力が可能となり、操作性をさらに向上することができる。
【００５５】
また、上記各実施の形態では、ハードキーである入力キーとして圧力関知素子を有する入力キー１５１を用いる構成であったが、これに限るものではない。例えば、図１０に示すように、触感関知素子を有する入力キー１５４を用いる構成としてもよい。図１０に、触感関知素子を有する入力キー１５４の押下を示し、（ａ）に入力キー１５４の押下の様子を示し、（ｂ）に押下による力と素子電圧との関係を示す。
【００５６】
図１０（ａ）に示すように、ユーザの指により入力キー１５４を押下した場合に、図１０（ｂ）に示すような押下による力と、キー入力部から出力される押下信号の素子電圧との関係のグラフが得られる。図１０（ｂ）に示すグラフは、図３（ｂ）に示すグラフと同様に、キー入力状態が無反応状態に対応する無反応領域と、半押し状態に対応する半押し領域と、本押し状態に対応する本押し領域とを有する非一次関数的なグラフとなる。
【００５７】
また、ハードキーである入力キーとしては、ストロークキーに限られるものではなく、タッチキーとしてもよい。また、キー入力項目テーブルは、変更可能にフラッシュＲＯＭ２３に記憶する構成としてもよい。
【００５８】
なお、本実施の形態における携帯電話１０の各構成要素の細部構成、及び細部動作に関しては、本発明の趣旨を逸脱することのない範囲で適宜変更可能であることは勿論である。
【図面の簡単な説明】
【００５９】
【図１】携帯電話１０の外観を示す図である。
【図２】携帯電話１０の内部構成図である。
【図３】圧力関知素子を有する入力キー１５１の押下を示す図であり、（ａ）は入力キー１５１の押下の様子を示す図であり、（ｂ）は押下による力と素子電圧との関係を示すグラフである。
【図４】キー入力項目テーブル１２１の構成を示す図である。
【図５】キー処理を示すフローチャートである。
【図６】４キー１５２の押下を示す図であり、（ａ）は４キー１５２の押下の様子を示す図であり、（ｂ）は押下による力と素子電圧との関係を示すグラフである。
【図７】５キー１５３の押下を示す図であり、（ａ）は５キー１５３の押下の様子を示ず図であり、（ｂ）は押下による力と素子電圧との関係を示すグラフである。
【図８】４キー１５２及び５キー１５３の押下の様子を示す図である。
【図９】４キー１５２から５キー１５３のスライド押下時の表示を示す図であり、（ａ）は４キー１５２のみの押下時の表示を示す図であり、（ｂ）は４キー１５２から５キー１５３へのスライド押下中の表示を示す図であり、（ｃ）は５キー１５３のみの押下時の表示を示す図である。
【図１０】触感関知素子を有する入力キー１５４の押下を示す図であり、（ａ）は入力キー１５４の押下の様子を示す図であり、（ｂ）は押下による力と素子電圧との関係を示すグラフである。
【符号の説明】
【００６０】
１０  携帯電話
１１  ＣＰＵ
１２  ＲＯＭ
１３  ＲＡＭ
１４  液晶表示部
１５  キー入力部
１５１，１５４  入力キー
１５２  ４キー
１５３  ５キー
１６  アンテナ
１７  無線部
１８  スピーカ
１９  マイク
２０  音声変換回路
２１  バイブレータ
２２  鳴音部
２３  フラッシュＲＯＭ
【図１】
2005130180.tif 000003
【図２】
2005130180.tif 000004
【図３】
2005130180.tif 000005
【図４】
2005130180.tif 000006
【図５】
2005130180.tif 000007
【図６】
2005130180.tif 000008
【図７】
2005130180.tif 000009
【図８】
2005130180.tif 000010
【図９】
2005130180.tif 000011
【図１０】
2005130180.tif 000012